(57)【要約】【課題】  天板の周りを行き来する実習生がむき出しの配管に足を取られることがないように配管類を覆ったカバー部材を天板下部で簡易に取り付けることができる調理実習台を提供すること。【解決手段】  少なくとも４隅を脚柱９で支持した天板２の一端側にコンロ７を、他端側にシンク８を配置して調理を行う調理実習台１において、このシンク８には天板２の側部２ｄ寄りに給水管８ｃ及び排水管８ｂが配備され、シンク８側の２隅の脚柱９，９に取り付けたカバー部材１１，１２により給水管８ｃ及び排水管８ｂが覆われているので、シンク８周りで活動する実習生１９がこれらの配管に足を取られるようなことがない。またカバー部材１１，１２が天板２の側部側に近づくことになり、天板２を支持する２隅の脚柱９，９への取り付けにも便利である。【選択図】  図４
2006333975.tif 000002
【特許請求の範囲】
【請求項１】
少なくとも４隅を脚柱で支持した天板の一端側にコンロを、他端側にシンクを配置して調理を行う調理実習台であって、前記シンクには天板の側部寄りに給水管及び排水管が配備され、シンク側の２隅の脚柱に取り付けたカバー部材により前記給水管及び排水管が覆われていることを特徴とする調理実習台。
【請求項２】
前記シンクを天板の前後方向略中央部に配置すると共に、シンクに配備した蛇口、前記給水管及び排水管をシンクの左右方向略中心線に沿った位置に設けた請求項１に記載の調理実習台。
【請求項３】
前記カバー部材は天板の前後方向に延びる一対のカバー体で構成され、各カバー体の前端縁と後端縁はそれぞれ前記２隅の脚柱の対向する面側に取り付けられている請求項１または２に記載の調理実習台。
【請求項４】
前記一対のカバー体の内、天板内方のカバー体の断面は略中央部が一部突出した凸状であり、天板外方のカバー体は外方に向かって断面略円弧状である請求項１乃至３のいずれかに記載の調理実習台。
【請求項５】
前記脚柱にはカバー部材を取り付けるための取付金具が着脱自在に止着されている請求項１乃至４のいずれかに記載の調理実習台。
【発明の詳細な説明】
【技術分野】
【０００１】
本発明は、少なくとも４隅を脚柱で支持した天板の一端側にコンロを、他端側にシンクを配置して調理を行う調理実習台に関する。
【背景技術】
【０００２】
従来の調理台は、天板にガスレンジや電磁加熱器等のコンロと、食材の水洗い等のためのシンクと、食材の切断や盛り付け用の調理台を備えており、シンク下の給水管や排水管が外部から直接見えないように覆ったキャビネットタイプのものが知られている（例えば、特許文献１参照）。そしてこのキャビネットタイプにおいては、板材等でキャビネットの外側部を完全に囲むことで給水管や排水管を覆っており、人が直接配管に触れることがないので安全である。しかし、複数の実習生が使う脚柱で天板を支持したやや広めのテーブルタイプの調理台においては、配管類を覆うカバーの取り付け場所に制約があり、下側部全体を覆うようにすることは重くなるだけでなくコストも嵩むことから、配管類をむき出し状態にしたものがほとんどである（例えば、特許文献２参照）。
【０００３】
【特許文献１】特開２００１−１０４０７０号公報（図３参照）
【特許文献２】実用新案登録第２５８２８１４号公報（図１参照）
【発明の開示】
【発明が解決しようとする課題】
【０００４】
しかしながら、特許文献２に記載の調理台にあっては、多くの実習生が天板の周りを調理のために行き来するので、むき出しの配管に足を取られる恐れがあり、またシンクで作業する際に、配管類が足につかえて邪魔になることもあった。
【０００５】
本発明は、このような問題点に着目してなされたもので、天板の周りを行き来する実習生がむき出しの配管に足を取られることがないように配管類を覆ったカバー部材を天板下部で簡易に取り付けることができる調理実習台を提供することを目的とする。
【課題を解決するための手段】
【０００６】
上記課題を解決するために、本発明の請求項１に記載の調理実習台は、少なくとも４隅を脚柱で支持した天板の一端側にコンロを、他端側にシンクを配置して調理を行う調理実習台であって、前記シンクには天板の側部寄りに給水管及び排水管が配備され、シンク側の２隅の脚柱に取り付けたカバー部材により前記給水管及び排水管が覆われていることを特徴としている。
この特徴によれば、カバー部材により給排水管を覆うので見栄えが良いばかりでなく、シンク周りで活動する実習生が配管に足を取られるようなことがなく、しかも給水管及び排水管が天板の側部寄りに配備することで、それらを覆うカバー部材が天板側部側に近づくことになり、天板を支持する２隅の脚柱への取り付けに便利である。
【０００７】
本発明の請求項２に記載の調理実習台は、請求項１に記載の調理実習台であって、前記シンクを天板の前後方向略中央部に配置すると共に、シンクに配備した蛇口、前記給水管及び排水管をシンクの左右方向略中心線に沿った位置に設けたことを特徴としている。
この特徴によれば、シンクを調理実習台の前後方向から実習生が同時に使用することができると共に、蛇口、給水管及び排水管を天板の前後方向略中央部に集めることができるので、シンクがある天板下方前後域に空間部が構成されシンクに近づく足場が確保できる。
【０００８】
本発明の請求項３に記載の調理実習台は、請求項１または２に記載の調理実習台であって、前記カバー部材は天板の前後方向に延びる一対のカバー体で構成され、各カバー体の前端縁と後端縁はそれぞれ前記２隅の脚柱の対向する面側に取り付けられていることを特徴としている。
この特徴によれば、カバー部材を一対のカバー体で構成することで、組み付け取り外しに手間が掛からず、しかもカバー部材は天板２隅の脚柱の対向する面側に取り付けられているので取付状態が外から見えにくく体裁がよい。
【０００９】
本発明の請求項４に記載の調理実習台は、請求項１乃至３のいずれかに記載の調理実習台であって、前記一対のカバー体の内、天板内方のカバー体の断面は略中央部が一部突出した凸状であり、天板外方のカバー体は外方に向かって断面略円弧状であることを特徴としている。
この特徴によれば、天板外方のカバー体は断面略円弧状であるので人体が触れても安全であり、また天板内方のカバー体の断面は略中央部が一部突出した凸状であるので、この一部突出した凸状部に配管類を収納させることで、天板の下部を占有する内方のカバー体の占有面積を極力少なくすることができる。
【００１０】
本発明の請求項５に記載の調理実習台は、請求項１乃至４のいずれかに記載の調理実習台であって、前記脚柱にはカバー部材を取り付けるための取付金具が着脱自在に止着されていることを特徴としている。
この特徴によれば、カバー部材が取付金具を介して脚柱に取り付けられるので、脚柱の形状が異なっても対応でき、カバー部材の取付向きも取付金具の位置を調整することで自由に選択できる。
【発明を実施するための最良の形態】
【００１１】
本発明の実施例を以下に説明する。
【実施例１】
【００１２】
図１は、本発明の実施例１における調理実習台の全体像を示す斜視図であり、図２（ａ）は、調理実習台の右側の正面図であり、図２（ｂ）は、調理実習台の右側面図であり、図３は、調理実習台の脚柱間にカバー部材を取り付ける過程を示す断面図であり、図４は、調理実習台の平面図である。
【００１３】
図１に示すこの調理実習台１は、学校等の教室内において複数の人数で調理実習を行う際に利用される多機能なテーブルタイプの台であり、教室内に複数台設置され主に生徒達の調理実習に使用される。以下、本実施例の説明において、図１に示した調理実習台１の正面側を前方をとし背面側を後方とし、調理実習台１のコンロ７側を左方としシンク８側を右方として説明する。
【００１４】
まず、調理実習台１の全体像を図１および図２（ａ）（ｂ）に基づき説明する。図１に示されるように、調理実習台１は複数の実習生に共同作業を行わせるために、天板２の一端側である左方位置に火力調理を行うコンロ７が設けられ、他端側である右方位置に水およびお湯を供給可能な蛇口８ａを備えたシンク８が設けられている。
【００１５】
天板２は上下方向に向けて立設された複数の脚柱９に支持されており、天板下部には空間部１０が形成されている。この空間部１０には特に図示しないが各種調理器具等を収納可能な移動式の収納ボックス等を収納することで、空間部１０を有効に活用でき機能性が高められている。
【００１６】
シンク８の下方には、天板２から床面２２の前後方向に延びる外カバー体１１および内カバー体１２が一対で略円筒形状のカバー部材を構成しており、図２（ａ）に示されるように、シンク８から床面２２に延設された排水管８ｂと蛇口８ａから床面２２に延設された水道管８ｃの両者およびシンク８の一部が調理実習台１の外方周囲から遮蔽される構成となっている。
【００１７】
また、図２（ｂ）に示されるように、外カバー体１１の取り付けについては後で詳述するが、前後の脚柱９，９間に連結ボルト１５で前後上下に４箇所で取り付けられており、排水管８ｂおよび水道管８ｃとシンク８の一部が調理実習台１の左側面からも遮蔽されている。
【００１８】
図１に示されるように、外カバー体１１は薄い金属板で断面略半円状に成型されており、この外カバー体１１の前後端縁は折曲された取付片１１ａ、１１ａをそれぞれ有し、これら前後の取付片１１ａ，１１ａには所定間隔離間された上下位置に左右方向に貫通する取付孔１１ｂ，１１ｂが形成されている。
【００１９】
内カバー体１２も同様にして、薄い金属板で断面略半円状に成型されており、この内カバー体１２の前後端縁は折曲された取付片１２ａ、１２ａをそれぞれ有し、これら前後の取付片１２ａ，１２ａには所定間隔離間された上下位置に左右方向に貫通する取付孔１２ｂ，１２ｂが形成されている。さらに、上部位置にはシンク８の下部との当接を避けるため凹状の切欠部１２ｃが形成されている。そして、外カバー体１１と内カバー体１２は連結ボルト１５で取付孔１１ｂ，１２ｂを介して前方および後方の脚柱９に取り付けられている。
【００２０】
そこで、外カバー体１１と内カバー体１２の取り付けについて具体的に説明すると、図３に示されるように、向かい合う前後の脚柱９，９の対向する面には平面視正方形の金属中空形状の取付金具９ａが上下２カ所に脚柱ボルト１６によりそれぞれ着脱自在に止着されている。
【００２１】
前後の取付金具９ａの左右面にはそれぞれ連結ボルト１５が螺合可能な螺合穴９ｂが形成されている。そこで、後方の取付金具９ａの右面に形成された螺合穴９ｂに外方より、外カバー体１１の後方側の取付孔１１ｂから介挿された連結ボルト１５を螺合することで、この後方の取付金具９ａと後方の取付片１１ａが連結される。
【００２２】
同様に前方の取付金具９ａの右面に形成された螺合穴９ｂに外カバー体１１の前方側の取付孔１１ｂから介挿された連結ボルト１５を螺合することで、この前方の取付金具９ａと前方の取付片１１ａが連結され、前後の脚柱９，９間に外カバー体１１の取り付けが完了する。なお、内カバー体１２の取付金具９ａへの取り付けについても、左右に対称である以外は略同様の構成のため取り付けの説明を省略する。
【００２３】
このように、カバー部材を一対の外カバー体１１および内カバー体１２で構成することで、組み付け取り外しに手間が掛からず容易に行なうことができるとともに、カバー部材（外カバー体１１および内カバー体１２）は、天板２の前後２隅に配置された脚柱９，９の対向する面側に取付金具９ａを介して取り付けられているので、脚柱９，９とカバー部材との取付状態が外から見えにくく体裁がよい。
【００２４】
しかも、外カバー体１１および内カバー体１２が取付金具９ａを介して脚柱９に取り付けられることで、例えば脚柱９の形状が異なっても、外カバー体１１および内カバー体１２の取り付けに対応でき、外カバー体１１および内カバー体１２の取付向きも取付金具９ａの位置を調整することで自由に選択できる。
【００２５】
次に、図４に示されるように、天板２におけるコンロ７およびシンク８周りの位置関係について説明すると、天板２の一端側（左方）に位置するコンロ７側には前後に向けて幅広な広幅部３が形成され、天板２の他端側（右方）に位置するシンク８側には前後に向けて幅細な細幅部４が形成されている。そして広幅部３および細幅部４を連接するように中央部５が形成されたことで、天板２は平面視略ナス形で形成され、外周面（前側面２ａ・後側面２ｂ・左側面２ｃ・右側面２ｄ）の全体が角のない滑らかな曲線の弧状となっており、実習生１９の作業移動時に衣類（エプロン等）を引っ掛けることや身体をぶつけることがなく、安全に使用可能になっている。
【００２６】
そして、天板２は所定位置に設けられた複数（本実施例では６本）の脚柱９のみで支持されており、天板２の４隅（広幅部３と細幅部４のそれぞれ前後の角部２箇所）と中央部５の２箇所とで支持され、天板２の下方に広い空間部が形成されている。したがって、実習生１９はシンク８、コンロ７及び調理台部６間の天板２周りの移動が円滑に行え、かつ調理作業もスムーズに行うことができる構成になっている。
【００２７】
コンロ７は広幅部３の前部に配置され、後述する調理実習台１の実習生による利用の際に広幅部３の前端近傍において、コンロ７の火力調整等の操作が行いやすくなっている。広幅部３に配置されたコンロ７の左側部のスペースおよび後部の幅広なスペースから天板２中央の中央部５にかけては、連続して調理台部６（天板２の斜線部分）が形成されている。
【００２８】
シンク８は細幅部４の略中央に配置されており、シンク８に配備された蛇口８ａは天板２の右側部寄りでほぼ前後の中間位置に設置されている。この蛇口８ａの下方には給水管である水道管８ｃおよび排水管８ｂがシンク８の左右方向略中心線に沿った位置に設けられている。そして、水道管８ｃおよび排水管８ｂが外カバー体１１と内カバー体１２で覆われている。
【００２９】
したがって、シンク８を調理実習台１の前後方向から実習生１９が同時に使用することができると共に、蛇口８ａ、排水管８ｂおよび水道管８ｃを細幅部４の前後方向略中央部に集めることができるので、シンク８がある天板２の下方前後域にシンク８に近づく実習生１９の足場が確保される。
【００３０】
以上の説明により実施例１では、シンク８側の前後２隅の脚柱９，９に取り付けたカバー部材（外カバー体１１，内カバー体１２）で給排水管（排水管８ｂ，水道管８ｃ）が覆われるので見栄えが良いばかりでなく、シンク８周りで活動する実習生１９がこれらの配管に足を取られるようなことがなく、安全性が高められるとともに円滑な調理実習が行なえる。
【００３１】
さらに、排水管８ｂ及び水道管８ｃが天板２の右側部寄りに配備されたことで、それらを覆う外カバー体１１および内カバー体１２が天板２の側部側に近づくことになり、天板２を支持する２隅の脚柱９，９への取り付けにも便利である。
【実施例２】
【００３２】
次に、本発明の実施例２を図５、図６、図７、図８に基づいて説明する。図５は、本発明の実施例２における調理実習台の全体像を示す斜視図であり、図６（ａ）は、調理実習台の左側の正面図であり、図６（ｂ）は、調理実習台の左側面図であり、図７は、調理実習台の脚柱間にカバー部材を取り付ける過程を示す断面図であり、図８は、調理実習台の平面図である。
【００３３】
なお、以下の実施例２において前述の実施例１と同様の構造部分に関しては、同一の符号を付すことにより詳細な説明は省略する事とし、図５に示す調理実習台３１の正面側を前方をとし背面側を後方とし、調理実習台３１のシンク８側を左方としコンロ７側を右方として説明する。
【００３４】
まず、調理実習台３１の全体像を図５および図６（ａ）（ｂ）に基づき説明する。図５に示されるように、天板３２の一端側である右方位置に火力調理を行うコンロ７が設けられ、他端側である左方位置に水およびお湯を供給可能な蛇口８ａを備えたシンク８が設けられている。天板３２は上下方向に向けて立設された複数の脚柱９に支持されており、天板下部には空間部１０が形成されている。
【００３５】
シンク８の下方には、天板３２から床面２２の前後方向に延びる内カバー体４２および外カバー体４１が一対でカバー部材を構成しており、図６（ａ）に示されるように、シンク８に接続された排水管８ｂと蛇口８ａに接続した水道管８ｃの両者およびシンク８の一部が調理実習台３１の外方周囲から遮蔽される構成となっている。
【００３６】
また、図６（ｂ）に示されるように、外カバー体４１の取り付けについては後で詳述するが、前後の脚柱９，９間に連結ボルト１５で前後上下に４箇所で取り付けられており、排水管８ｂおよび水道管８ｃとシンク８の一部が調理実習台３１の左側面からも遮蔽されている。
【００３７】
しかも、図５に示されるように、調理実習台３１の右側面側の前後の脚柱９，９間にも、外カバー体４１と同形の左右対称で外カバー体４３の前後端部が連結ボルト１５で取り付けられ、調理実習台３１の左右側面の外部からも天板３２の下方が遮蔽される。また、調理実習台３１の左右に外カバー体４１，４３が配置されたことで全体のバランスも良くなっている。
【００３８】
外カバー体４１は薄い金属板で外側に凸となるよう断面円弧状に成型されており、この外カバー体４１の前後端縁は折曲された取付片４１ａ、４１ａをそれぞれ有し、これら前後の取付片４１ａ，４１ａには所定間隔離間された上下位置に左右方向に貫通する取付孔４１ｂ，４１ｂが形成されている。
【００３９】
内カバー体４２は薄い金属板で、その断面は略中央部が一部突出した凸状となるように成型されており、この内カバー体４２の前後端縁は折曲された取付片４２ａ、４２ａをそれぞれ有し、これら前後の取付片４２ａ，４２ａには所定間隔離間された上下位置に左右方向に貫通する取付孔４２ｂ，４２ｂが形成されている。
【００４０】
さらに、上端位置はシンク８の下部との当接を避けるため、外カバー体４１の上端よりも高さが低く形成されている。そして、外カバー体４１と内カバー体４２は連結ボルト１５でそれぞれの取付孔４１ｂ，４２ｂを介して、天板３２の左側端側の前方および後方の脚柱９，９間に取り付けられている。
【００４１】
そこで、外カバー体４１と内カバー体４２の取り付けについて具体的に説明すると、図７に示されるように、向かい合う前後の脚柱９，９の対向する面には平面視正方形の金属中空形状の取付金具９ａが上下２カ所に脚柱ボルト１６によりそれぞれ着脱自在に止着されている。
【００４２】
前後の取付金具９ａの左右面にはそれぞれ連結ボルト１５を螺合可能な螺合穴９ｂが形成されている。そこで、後方の取付金具９ａの右面に形成された螺合穴９ｂに内カバー体４２の後方側の取付孔４２ｂから介挿された連結ボルト１５を螺合することで、この後方の取付金具９ａと後方の取付片４２ａが連結される。
【００４３】
同様に前方の取付金具９ａの右面に形成された螺合穴９ｂに内カバー体４２の前方側の取付孔４２ｂから介挿された連結ボルト１５を螺合することで、この前方の取付金具９ａと前方の取付片４２ａが連結され、内カバー体４２の取り付けが完了する。なお、外カバー体４１の取付金具９ａへの取り付けについては略同様の構成のため説明を省略する。
【００４４】
このように、カバー部材を一対の外カバー体４１および内カバー体４２で構成することで、組み付け取り外しに手間が掛からず容易に行なうことができるとともに、カバー部材（外カバー体４１および内カバー体４２）は、天板３２の左側の前後２隅に配置された脚柱９，９の対向する面側に取付金具９ａを介して取り付けられているので、脚柱９，９とカバー部材との取付状態が外から見えにくく体裁がよい。
【００４５】
しかも、外カバー体４１および内カバー体４２が取付金具９ａを介して脚柱９に取り付けられることで、例えば脚柱９の形状が異なっても、外カバー体４１および内カバー体４２の取り付けに対応でき、これらカバー体４１，４２の取付向きも取付金具９ａの位置を調整することで自由に選択できる。
【００４６】
次に、図８に示されるように、天板３２におけるコンロ７およびシンク８周りの位置関係について説明すると、天板３２の平面形状は略等幅で左右端から中央部３５にかけて緩やかな角度で屈曲して形成されたており、天板３２の右方のコンロ７側に右天板部３４を、天板３２の左方のシンク８側に左天板部３３を備えている。シンク８の右側部近傍と中央部３５、そしてコンロ７の左側部近傍にかけては、連続して調理台部３６（天板３２の斜線部分）が形成されており、この調理台部３６は食材置き場としたり、これら食材を加工および調理を行う場として利用される。また、調理台部３６を試食用のスペースとしても利用できる。
【００４７】
天板３２の外周面を構成する前側面３２ａ・後側面３２ｂ・左側面３２ｃ・右側面３２ｄから形成される４隅の角部が滑らかな曲線弧状であるとともに、中央部３５の前後の中央位置も緩やかな角度で屈曲された平面視略く字形で形成されているので、実習生１９の作業移動時に衣類（エプロン等）を引っ掛けることや身体をぶつけることがなく、安全に使用可能になっている。
【００４８】
そして、天板３２は所定位置に設けられた複数（本実施例では６本）の脚柱９で支持されており、天板３２の４隅（左天板部３３と右天板部３４のそれぞれ前後の角部２箇所）と中央部３５の２箇所とで支持され、天板３２の下方に広い空間部が形成されている。したがって、実習生１９はシンク８、コンロ７及び調理台部３６間の天板３２周りの移動が円滑に行え、かつ調理作業もスムーズに行うことができる構成になっている。
【００４９】
コンロ７は右天板部３４のやや前部に配置され、実習生による利用の際に右天板部３４の前端近傍において、コンロ７の火力調整等の操作が行いやすくなっている。シンク８は左天板部３３の略中央に配置されており、シンク８に配備された蛇口８ａは天板３２の左側部寄りでほぼ前後の中間位置に設置されている。
【００５０】
つまり、シンク８を調理実習台３１の前後方向から実習生１９に同時に使用させることができると共に、蛇口８ａ、排水管８ｂおよび水道管８ｃを右天板部３４の前後方向略中央部に集めることができ、かつ内カバー体４２によって排水管８ｂや水道管８ｃが覆われているので、見栄えが良いばかりでなく、天板３２下方に、例えば調理時に必要な収納ボックスや、椅子等を押し込んだ場合であっても配管類が保護される。
【００５１】
さらに内カバー体４２の形状は、その断面が略中央部が一部突出した凸状であることから、その凸状部に配管類を収納させ、天板３２の下部を占有する内カバー体４２の占有面積を極力少なくすることができる。したがってシンク８周りの天板３２の前後域下方に部分的な空間部が形成されるので、調理実習の際にシンク８に近づく場合でも実習生１９の足回りの妨げにならない構成になっており、実習生１９の足場が余裕を持って確保され、調理実習の移動等にともなう安全性が高められている。
【００５２】
以上の説明により実施例２では、シンク８側の２隅の脚柱に取り付けたカバー部材（外カバー体４１，内カバー体４２）で給排水管（排水管８ｂ，水道管８ｃ）が覆われるので見栄えが良いばかりでなく、シンク８周りで活動する実習生１９がこれらの配管に足を取られるようなことがなく、安全性が高められるとともに円滑な調理実習が行える。さらに、排水管８ｂ及び水道管８ｃが天板３２の左側部寄りに配備されたことで、それらを覆う排水管８ｂ及び水道管８ｃが天板３２の側部側に近づくことになり、天板３２を支持する２隅の脚柱９，９に簡便に取り付ける事ができ便利である。
【００５３】
以上、本発明の実施例１および実施例２を図面により説明してきたが、具体的な構成はこれら実施例に限られるものではなく、本発明の要旨を逸脱しない範囲における変更や追加があっても本発明に含まれる。
【図面の簡単な説明】
【００５４】
【図１】本発明の実施例１における調理実習台の全体像を示す斜視図である。
【図２】（ａ）は、調理実習台の右側の正面図であり、（ｂ）は、調理実習台の右側面図である。
【図３】調理実習台の脚柱間にカバー部材を取り付ける過程を示す断面図である。
【図４】調理実習台の平面図である。
【図５】本発明の実施例２における調理実習台の全体像を示す斜視図である。
【図６】（ａ）は、調理実習台の左側の正面図であり、（ｂ）は、調理実習台の左側面図である。
【図７】調理実習台の脚柱間にカバー部材を取り付ける過程を示す断面図である。
【図８】調理実習台の平面図である。
【符号の説明】
【００５５】
１                調理実習台
２                天板（平面視ナス形天板）
２ａ              前側面
２ｂ              後側面
２ｃ              左側面
２ｄ              右側面
３                広幅部
４                細幅部
５                中央部
６                調理台部
７                コンロ
７ａ              操作部
８                シンク
８ａ              蛇口
８ｂ              排水管
８ｃ              水道管（給水管）
９                脚柱
９ａ              取付金具
９ｂ              螺合穴
１０              空間部
１１              外カバー体（カバー部材の一部）
１１ａ            取付片
１１ｂ            取付孔
１２              内カバー体（カバー部材の一部）
１２ａ            取付片
１２ｂ            取付孔
１２ｃ            切欠部
１５              連結ボルト
１６              脚柱ボルト
１９              実習生
２２              床面
３１              調理実習台
３２              天板（平面視く形天板）
３２ａ            前側面
３２ｂ            後側面
３２ｃ            左側面
３２ｄ            右側面
３３              左天板部
３４              右天板部
３５              中央部
３６              調理台部
４１              外カバー体（カバー部材の一部）
４１ａ            取付片
４１ｂ            取付孔
４２              内カバー体（カバー部材の一部）
４２ａ            取付片
４２ｂ            取付孔
４３              外カバー体
【図１】
2006333975.tif 000003
【図２】
2006333975.tif 000004
【図３】
2006333975.tif 000005
【図４】
2006333975.tif 000006
【図５】
2006333975.tif 000007
【図６】
2006333975.tif 000008
【図７】
2006333975.tif 000009
【図８】
2006333975.tif 000010